(57)【要約】【課題】  ＩＰセントレックス網と公衆ＳＩＰ網とを容易かつ確実に接続し、同時に、両網を接続した際のセキュリティを確保する。【解決手段】  ＳＩＰを用いて構築された第１のネットワークと、ＳＩＰを用いて構築された第２のネットワークとを接続する際に、第１のネットワークを構成するゲートウェイ３ｂと、第２のネットワークを構成するゲートウェイ３ａとを直接接続する。第１のネットワークをＩＰセントレックス網とし、第２のネットワークを公衆ＳＩＰ網とすることができる。ＩＰセントレックス網を構成するＧＷ３ｂによりＳＩＰから他のプロトコルへ変換し、公衆ＳＩＰ網を構成するＧＷ３ａにより再度ＳＩＰプロトコルへ変換する。これにより、経路情報はリセットされ、ＳＩＰメッセージ長の増加を抑えることができ、ＩＰセントレックス網内の固有情報が公衆ＳＩＰ網へ流出することを防止できる。【選択図】  図１
2006303840.tif 000002
【特許請求の範囲】
【請求項１】
ＳＩＰ（Session Initiation Protocol）を用いて構築された第１のネットワークと、ＳＩＰを用いて構築された第２のネットワークとを接続するにあたって、
前記第１のネットワークを構成するゲートウェイと、前記第２のネットワークを構成するゲートウェイとを直接接続することを特徴とする音声通信システム。
【請求項２】
前記第１のネットワークは、ＩＰセントレックス網であって、前記第２のネットワークは、公衆ＳＩＰ網であることを特徴とする請求項１に記載の音声通信システム。
【請求項３】
前記直接接続される２つのゲートウェイは、ＩＳＤＮ（Integrated Services Digital Network）を介して接続されることを特徴とする請求項１又は２に記載の音声通信システム。
【発明の詳細な説明】
【技術分野】
【０００１】
本発明は、音声通信システムに関し、特に、企業ユーザ向けＩＰセントレックス網と、一般ユーザ向け公衆ＳＩＰ網とを直接インタワークする音声通信システムに関する。
【背景技術】
【０００２】
ＶｏＩＰ（Voice over IP）で利用されるＳＩＰ（Session Initiation Protocol）は、発信者が受信者に自分の身元を知らせずにＳＩＰメッセージを発信したり、ＳＩＰサーバが発信者を管理することができない。また、ＩＰ電話機のアドレスが常に一定であると、第三者に通話中にＩＰアドレスを特定されやすいという問題があった。
【０００３】
そこで、特許文献１に記載のメッセージ変換装置、及びＩＰ電話装置は、ＳＩＰサーバが発信者のＳＩＰメッセージを変換し、変換テーブルを管理をするとともに、ＩＰ電話機がＩＰ電話による通話ごとにＩＰアドレスを変更することにより、発信者は受信者に自分の身元を隠しながら電話発信を行うことができ、ＳＩＰサーバを備えた通信事業者も変換テーブルにより発信者の管理を行うことが可能となる。また、ＩＰ電話機のＩＰアドレスが発信ごとに変化するため、悪意の第３者はＩＰ電話機のＩＰアドレスの特定が困難になる。
【０００４】
【特許文献１】特開２００４−２２８８２９号公報
【発明の開示】
【発明が解決しようとする課題】
【０００５】
しかし、上記特許文献１等に記載の従来の音声通信システムにおけるＳＩＰによる通信では、従来の交換機やＰＢＸに相当するＳＩＰサーバを経由する度に、経路情報（Viaヘッダ、Record-Routeヘッダ）が付与されるが、ＩＰセントレックス網と公衆ＳＩＰ網とを接続することにより、経由するＳＩＰサーバ数が増加すると、ＴＣＰ／ＵＤＰで１度に送信可能なパケット長を超過し、ＩＰセントレックス網と公衆ＳＩＰ網とを接続することができない場合があるという問題があった。
【０００６】
また、セントレックスサービスを提供する上で、ＩＰセントレックス網内では専用のＳＩＰメッセージが用いられるが、そのＳＩＰメッセージを公衆ＳＩＰ網内のＳＩＰサーバやＳＩＰ電話機が解釈できないため、ＩＰセントレックス網と公衆ＳＩＰ網とを接続する場合、セントレックスサービスを提供することができない場合があるという問題があった。
【０００７】
さらに、ＳＩＰメッセージにはドメイン情報やＩＰアドレス情報等が含まれ、ＳＩＰサーバを経由する時にこれらの情報が削除されないため、ＩＰセントレックス網と公衆ＳＩＰ網とを接続した場合、企業内のドメイン情報やＩＰアドレス情報が公衆ＳＩＰ網へ流出するおそれがあるという問題があった。
【０００８】
そこで、本発明は、上記従来の音声通信システムにおける問題点に鑑みてなされたものであって、ＩＰセントレックス網と公衆ＳＩＰ網とを容易かつ確実に接続することができるとともに、ＩＰセントレックス網と公衆ＳＩＰ網とを接続した場合にセキュリティを確保することができるシステムを提供することを目的とする。
【課題を解決するための手段】
【０００９】
上記目的を達成するため、本発明は、音声通信システムであって、ＳＩＰを用いて構築された第１のネットワークと、ＳＩＰを用いて構築された第２のネットワークとを接続するにあたって、前記第１のネットワークを構成するゲートウェイ（ＧＷ）と、前記第２のネットワークを構成するＧＷとを直接接続することを特徴とする。
【００１０】
そして、本発明によれば、第１のネットワークを構成するＧＷと、第２のネットワークを構成するＧＷを直接接続することにより、第１のネットワーク及び第２のネットワークの情報の漏洩を防止することができる。また、第１のネットワークを構成するＧＷと、第２のネットワークを構成するＧＷを直接接続することにより、ＳＩＰメッセージ長の増加を抑制することができる。
【００１１】
前記音声通信システムにおいて、前記第１のネットワークをＩＰセントレックス網とし、前記第２のネットワークを公衆ＳＩＰ網とすることができる。
【００１２】
本発明のＩＰセントレックス網と公衆ＳＩＰ網の接続方法では、ＳＩＰサーバを経由する度に経路情報が増加しメッセージ長を増加させる。また、ＩＰセントレックス網内の固有情報である音声通信システムにおいて、ＩＰアドレスやドメイン情報は、ＳＩＰサーバを経由しても引き継がれる。ＩＰセントレックス網を構成するＧＷにより、ＳＩＰから他のプロトコルへ変換し、公衆ＳＩＰ網を構成するＧＷにより再度ＳＩＰプロトコルへ変換する。これにより、経路情報はリセットされ、ＳＩＰメッセージ長の増加を抑えることが可能となるとともに、ＩＰセントレックス網内の固有情報が公衆ＳＩＰ網へ流出することを防止することができる。
【００１３】
前記音声通信システムにおいて、直接接続される２つのゲートウェイを、ＩＳＤＮ（Integrated Services Digital Network）を介して接続することができる。
【発明の効果】
【００１４】
以上のように、本発明によれば、ＩＰセントレックス網と公衆ＳＩＰ網とを容易かつ確実に接続することができ、同時に、ＩＰセントレックス網と公衆ＳＩＰ網とを接続した際のセキュリティを確保することが可能となる。
【発明を実施するための最良の形態】
【００１５】
図１は、本発明にかかる音声通信システムの一実施の形態を示し、公衆ＳＩＰ網は、ユーザが操作するＳＩＰ電話機１ａと、メッセージを中継するＳＩＰサーバ２ａ〜２ｃと、ＩＰセントレックス網への接続点となるＳＩＰ−ＧＷ（ゲートウェイ）３ａとで構成され、各々の装置がＬＡＮ（Local Area Network）を介して接続される。
【００１６】
同図に示したＩＰセントレックス網も同様に、ユーザが操作するＳＩＰ電話機１ｂと、メッセージを中継するＳＩＰサーバ２ｄ〜２ｆと、公衆ＳＩＰ網への接続点となるＳＩＰ−ＧＷ３ｂによって構成され、各々がＬＡＮを介して接続される。
【００１７】
公衆ＳＩＰ網と、ＩＰセントレックス網とは、公衆ＳＩＰ網を構成しているＳＩＰ−ＧＷ２（３ａ）と、ＩＰセントレックス網を構成しているＳＩＰ−ＧＷ１（３ｂ）とが交換機を介さずに接続される。
【００１８】
ＳＩＰ電話機１ａ、１ｂは、ユーザの発信、応答、切断等の操作を受け、ＳＩＰメッセージの生成、及びＳＩＰサーバ２ａ〜２ｆとのメッセージの送受信を行う機能を有する。ＩＰセントレックス網内のＳＩＰ電話機１ｂは、保留や転送等のセントレックスサービスを実現するためのＳＩＰメッセージを送信する機能を有する。
【００１９】
ＳＩＰサーバ２ａ〜２ｆは、ＳＩＰ電話機１ａ、１ｂ、ＳＩＰ−ＧＷ３ａ、３ｂあるいはＳＩＰサーバ２ａ〜２ｆからの発信、応答、切断メッセージを受信し、隣接するＳＩＰサーバ２ａ〜２ｆ、あるいはＳＩＰ電話機１ａ、１ｂ、ＳＩＰ−ＧＷ３ａ、３ｂへメッセージを中継する機能を有する。
【００２０】
ＳＩＰ−ＧＷ３ａ、３ｂは、ＳＩＰメッセージの発信、応答、切断メッセージを受け、他のプロトコル（ＩＳＤＮ等）のメッセージへ変換し、ＳＩＰ−ＧＷ３ａ、３ｂへメッセージを送信する機能を有する。また、他のプロトコル(ＩＳＤＮ等)の発信、応答、切断メッセージを受け、ＳＩＰメッセージへ変換し、ＳＩＰサーバへメッセージ送信する機能も有する。さらに、ＩＰセントレックス網内のＳＩＰ電話機１ｂからの付加サービスに対応し、公衆ＳＩＰ網側へ保留音の送出や、転送サービスに対応するため、ＩＰセントレックス網内の接続先であるＳＩＰ電話機１ｂとの接続変更を行う機能を有する。
【００２１】
次に、図１のＳＩＰ電話機１ｂを用いて公衆ＳＩＰ網内のＳＩＰ電話機１ａへ発信した時の動作について、図２を中心に参照しながら説明する。
【００２２】
ＳＩＰ電話機１ｂが企業ユーザによる発信を検出すると、ＳＩＰ電話機１ｂは、経路情報であるＶｉａヘッダ（図３（１））を付加した発信メッセージ（ＩＮＶＩＴＥ）をＳＩＰサーバ２ｆへ送信する（図２（ａ））。この時のＩＮＶＩＴＥメッセージには、ＩＰアドレス情報や、ドメイン情報が含まれている（図３（２）〜（４））。
【００２３】
上記ＩＮＶＩＴＥを受信したＳＩＰサーバ２ｆは、ＩＮＶＩＴＥメッセージに含まれる着信者番号に基づいて送信先を決定し、経路情報であるＶｉａヘッダ及びＲｅｃｏｒｄ−Ｒｏｕｔｅヘッダ（図４（１））を付加したＩＮＶＩＴＥメッセージをＳＩＰサーバ２ｄへ送信する（図２（ｂ））。このＩＮＶＩＴＥメッセージには、ＩＰアドレス情報及びドメイン情報が含まれている（図４（１）〜（４））。
【００２４】
このＩＮＶＩＴＥメッセージを受信したＳＩＰサーバ２ｄも同様に、メッセージ送信先を決定し、経路情報であるＶｉａヘッダ及びＲｅｃｏｒｄ―Ｒｏｕｔｅヘッダを付加したＩＮＶＩＴＥメッセージをＳＩＰ−ＧＷ３ｂへ送信する（図２（ｃ））。
【００２５】
ＩＮＶＩＴＥメッセージを受信したＳＩＰ−ＧＷ３ｂは、ＩＳＤＮメッセージのＳＥＴＵＰに変換し、対向のＳＩＰ−ＧＷ３ａへ送信する（図２（ｄ））。
【００２６】
ＳＥＴＵＰメッセージを受信したＳＩＰ−ＧＷ３ａは、経路情報であるＶｉａヘッダ（図３（１））を付加したＩＮＶＩＴＥメッセージを生成し、ＳＩＰサーバ２ｃへ送信する（図２（ｆ））。このＩＮＶＩＴＥメッセージに含まれるＩＰアドレス情報や、ドメイン情報は、ＳＩＰ−ＧＷ３ａに設定されている情報を元に付与する（図２（ｅ））。また、経路情報は、ＳＩＰ−ＧＷ３ａを表すもののみが設定される（図３（１））。
【００２７】
以降、同様にＳＩＰサーバを経由する毎に経路情報が付加され、ＳＩＰ電話機１ａまでＩＮＶＩＴＥメッセージが伝達される。
【００２８】
このように、上記実施の形態では、ＳＩＰ−ＧＷ３ｂ及びＳＩＰ−ＧＷ３ａにおいて、一旦ＳＩＰメッセージを終端しているので、ＩＰセントレックス網から公衆ＳＩＰ網へ伝達される際、ＩＰセントレックス網の経路情報が削除される。これにより、パケット長を短くすることができる。さらに、ＳＩＰメッセージを終端することにより、ＩＰセントレックス側のＩＰアドレスやドメイン情報が公衆ＳＩＰ網へ伝達されないことによりセキュリティを確保することができる。
【００２９】
尚、上記実施の形態において、上記ＳＩＰ―ＧＷ３ａ、３ｂは、ＩＳＤＮプロトコルを採用しているが、ＩＳＤＮ以外のプロトコルへ変換するＧＷで構成してもよい。但し、ＳＩＰメッセージ上の経路情報や、ＩＰアドレス情報、ドメイン情報を継承するプロトコルであってはならない。
【図面の簡単な説明】
【００３０】
【図１】本発明にかかる音声通信システムの一実施の形態を示す構成図である。
【図２】図１の音声通信システムにおける発信メッセージの流れ図である。
【図３】図１の音声通信システムにおけるＳＩＰ電話機、ＳＩＰ−ＧＷが発信時に送信するＳＩＰメッセージ例を示す図である。
【図４】図１の音声通信システムにおけるＳＩＰサーバが送信するＳＩＰの発信メッセージ例を示す図である。
【符号の説明】
【００３１】
１ａ、１ｂ  ＳＩＰ電話機、
２ａ〜２ｆ  ＳＩＰサーバ
３ａ〜３ｂ  ＳＩＰ−ＧＷ
【図１】
2006303840.tif 000003
【図２】
2006303840.tif 000004
【図３】
2006303840.tif 000005
【図４】
2006303840.tif 000006